(57)【要約】【課題】  部品点数を削減することで製造コストを抑えることができるとともに小型化に適した映像出力回路を提供する。【解決手段】  映像及び音声の信号成分を含む中間周波信号から映像ベースバンド信号を取り出す映像検波回路２１と、前記映像検波回路２１からの出力である信号ライン２５ａとグランドとの間に設けられた第１のＳＩＦトラップ２２と、前記第１のＳＩＦトラップ２２の後段に設けられ且つ前記信号ライン２５ｂとグランドとの間に設けられた第２のＳＩＦトラップ２３と、前記信号ラインに設けられ且つ前記第１のＳＩＦトラップ２２と第２のＳＩＦトラップ２３との間の結合を取るインダクタ２４ａ及びこのインダクタ２４ａに対して並列に接続されたコンデンサ２４ｂとからなるＬＣトラップ２４と、を設けた。【選択図】図２
0003115530.tif 000002
【実用新案登録請求の範囲】
【請求項１】
映像及び音声の信号成分を含む中間周波信号から映像ベースバンド信号を取り出す映像検波回路と、前記映像検波回路からの出力である信号ラインとグランドとの間に設けられた第１のＳＩＦトラップと、前記第１のＳＩＦトラップの後段に設けられ且つ前記信号ラインとグランドとの間に設けられた第２のＳＩＦトラップと、前記信号ラインに設けられ且つ前記第１のＳＩＦトラップと第２のＳＩＦトラップとの間の結合を取るインダクタ及びこのインダクタに対して並列に接続されたコンデンサとからなるＬＣトラップと、を有することを特徴とする映像出力回路。
【請求項２】
前記ＬＣトラップのトラップ周波数が、中間周波数信号に含まれる音声中間周波数とは異なる周波数に設定されていることを特徴とする請求項１記載の映像出力回路。
【請求項３】
前記異なる周波数が、受信チャネルの周波数帯域の上限と上側隣接チャネルの周波数帯域の下限との間に設定されていることを特徴とする請求項２記載の映像出力回路。
【請求項４】
前記異なる周波数が、受信したテレビジョン信号に含まれる第２の音声中間周波数に設定されていることを特徴とする請求項２記載の映像出力回路。
【請求項５】
前記第１のＳＩＦトラップおよび第２のＳＩＦトラップの共振周波数が、前記映像信号帯域における音声中間周波数に設定されていることを特徴とする請求項１ないし４のいずれか一項に記載の映像出力回路。
【考案の詳細な説明】
【技術分野】
【０００１】
本考案は、映像ベースバンド信号から映像信号を取り出す映像出力回路に係わり、特に部品点数を削減することができるとともに小型化に適した映像出力回路に関する。
【背景技術】
【０００２】
従来の映像検出回路においては、映像中間周波信号ＶＩＦから音声中間周波成分を除去するための音声中間周波トラップ（ＳＩＦトラップ）回路が設けられているのが一般的である。
【０００３】
しかし、この種のトラップ回路は、受信チャネルに含まれる自身の音声中間周波成分を除去することを目的とするものであるため、例えば隣接チャネルや、韓国の放送のような音声キャリアが２ヶ存在する場合の第２番目の音声中間周波成分による妨害を有効に防止することができないものであった。
【０００４】
このような問題に対する従来の対策としては、本来の音声中間周波トラップ回路とは別に、妨害信号防止用トラップ、または誘導Ｍ型フィルタを設けた構成などが存在しており、例えば特開平１０−３３６５４３号公報などに開示されている。
【０００５】
図５は従来の映像出力回路と同様の回路構成図である。なお、図５は上記特開平１０−３３６５４３号公報の図３に記載されている回路と同様である。ただし、説明の都合上符号については変更してある。
【０００６】
図５において、映像検波回路２の入力端２ａは図示しない映像中間周波回路に接続されており、この映像中間周波回路から映像検波回路２に映像中間周波信号が入力される。そして、この映像検波回路２で映像信号が取り出される。映像検波回路２で取り出された映像信号は、セラミックトラップ等からなる音声中間周波トラップ（ＳＩＦトラップ）手段３と、前記音声中間周波トラップ（ＳＩＦトラップ）手段３に対して並列接続されたインダクタ４とが設けられ、さらにこれらの後段にインダクタ５とコンデンサ６との組み合わせからなるＬＣフィルタ７を介して映像増幅器８に入力されるようになっている。
【０００７】
この映像出力回路１においては、色副搬送波（３．５８ＭＨｚ）によるビ−ト妨害を除去するために、音声中間周波数（４．５ＭＨｚ）を映像信号による画面に影響を与えないレベルまでに減衰させる必要があり、このため、音声中間周波トラップ手段３が設けられている。
【０００８】
一方、音声信号のほかに隣接チャネルのテレビ信号が混入した場合にも画面に妨害縞となって現れる。このため、従来の映像出力回路１においては受信チャネルの上隣接に位置するチャネル（上側隣接チャネル）の信号成分（約６ＭＨｚ）を除去すべく、前記音声中間周波トラップ手段３の後段にＬＣフィルタ７を設けることによって上側隣接チャネルの信号成分を減衰させるようにしている。
【０００９】
また、同様に韓国市場向けのチューナに関しては２つあるSIFキャリアのうち、第２SIFキャリアが妨害となる。この場合、前期音声中間周波トラップの後段に約５．７MHzの信号成分を除去するためのトラップを設置している。
【考案の開示】
【考案が解決しようとする課題】
【００１０】
しかし、上記の映像出力回路１においては、前記ＬＣフィルタ７を構成するインダクタ５が数μＨ（ヘンリー）のインダクタンスとなるため、大型のチョークコイルとして形成する必要がある。このため、前記インダクタ５を固定するためには、比較的広いスペースを回路内に確保する必要があり、映像出力回路１を小型化にしにくいという問題がある。しかも、このような大型のインダクタ５はコストの高騰を招くという問題もある。
【００１１】
本考案は上記従来の課題を解決するためのものであり、部品点数を削減することで製造コストを抑えることができるとともに小型化に適した映像出力回路を提供することを目的としている。
【課題を解決するための手段】
【００１２】
本考案は、映像及び音声の信号成分を含む中間周波信号から映像ベースバンド信号を取り出す映像検波回路と、前記映像検波回路からの出力である信号ラインとグランドとの間に設けられた第１のＳＩＦトラップと、前記第１のＳＩＦトラップの後段に設けられ且つ前記信号ラインとグランドとの間に設けられた第２のＳＩＦトラップと、前記信号ラインに設けられ且つ前記第１のＳＩＦトラップと第２のＳＩＦトラップとの間の結合を取るインダクタ及びこのインダクタに対して並列に接続されたコンデンサとからなるＬＣトラップと、を有することを特徴とするものである。
【００１３】
本願考案の映像出力回路では、ＬＣフィルタを構成するためのインダクタ（大型のチョークコイル）と、前記インダクタを設置するためのスペースを不要にできる。よって、部品点数の削減による製造コストの削減、小型化または薄型化することができる。
【００１４】
上記においては、前記ＬＣトラップのトラップ周波数が、中間周波数信号に含まれる音声中間周波数とは異なる周波数に設定されていることが好ましく、例えば前記異なる周波数が、受信チャネルの周波数帯域の上限と上側隣接チャネルの周波数帯域の下限との間に設定されているものである。
【００１５】
上記手段では、受信チャネルから不要な上側隣接チャネルを有効に除去することが可能となる。よって、上側隣接チャネルのテレビ信号が混入した場合にあっても妨害縞の発生を有効に防止することができる。
【００１６】
また前記異なる周波数が、受信したテレビジョン信号に含まれる第２の音声中間周波数に設定されているものが好ましい。
【００１７】
上記手段では、音声キャリアが２ヶ存在する放送（例えば韓国の放送）による妨害、すなわち第２番目の音声中間周波成分による妨害を防止することができる。
【００１８】
さらには、前記第１のＳＩＦトラップおよび第２のＳＩＦトラップの共振周波数が、前記映像信号帯域における音声中間周波数に設定されているものが好ましい。
【００１９】
上記手段では、受信チャネルに含まれる自身の音声中間周波信号を有効に除去し、映像信号のみを取り出すことができる。
【考案の効果】
【００２０】
本考案の映像出力回路では、部品点数の削減による製造コストの削減を図ることができる。
【００２１】
また、大型のチョークコイルを不要とすることができるため、小型化または薄型化に優れた映像出力回路を提供することができる。
【考案を実施するための最良の形態】
【００２２】
図１はテレビジョン受像装置のうち主要部の構成を示すブロック構成図、図２は本考案の実施の形態としての映像出力回路の構成を示す回路構成図である。
【００２３】
図１には、テレビジョン受像装置１０のうち、本願考案に関連する主要部分、すなわちテレビ電波を受信するアンテナ部１１、チューナ部１２、映像中間周波増幅部１３、音声検波部１４、音声中間周波増幅部１６、映像増幅部１７、映像検波部（映像出力回路）２０、スピーカ３１およびモニタ３２を示している。なお、音声中間周波増幅部１６とスピーカ３１との間、および映像増幅部１７とモニタ３２との間の構成については省略して示している。
【００２４】
前記チューナ部１２は、前記アンテナ部１１が受信したテレビ電波のうち所望のチャネルのテレビジョン信号のみを選択・増幅することにより、映像は映像中間周波信号ＶＩＦに、音声は音声中間周波信号ＳＩＦにそれぞれ周波数変換する。
【００２５】
前記映像中間周波増幅部１３は、前記チューナ部１２が変換した映像中間周波信号ＶＩＦおよび音声中間周波信号ＳＩＦとを一緒に増幅する。
【００２６】
そして、前記音声検波部１４は前記映像中間周波増幅部１３が増幅した信号から音声中間周波信号ＳＩＦ以外の不要な信号（映像中間周波信号ＶＩＦを含む）の除去を行い、また映像検波部２０は前記映像中間周波信号ＶＩＦ以外の不要な信号（音声中間周波信号ＳＩＦを含む）の除去を行う。
【００２７】
このようにして検波された前記音声中間周波信号ＳＩＦは、音声中間周波増幅部１６およびその他図示しない音声ＦＭ検波部や音声増幅部などを介して前記スピーカ３１に送られ、スピーカ３１から音声として出力される。
【００２８】
また前記映像中間周波信号ＶＩＦは、その後段に設けられた映像増幅部１７、その他図示しない帯域増幅部、色復調部、同期・偏向部などを介して前記モニタ３２に送られ、モニタ３２から画像として出力される。
【００２９】
なお、受信電波はチャネルによっては受信時の電波強度が異なることがあり、あるいはフェージングによる電波強度が変動すると、電波の強さが変わってモニタ３２は一定のコントラストを保持し難くなる。このため、図１に示すように、通常は前記中間周波増幅部１３などに自動利得調整電圧（ＡＧＣ電圧）を与えるＡＧＣ回路１８が設けられている。
【００３０】
図２に示すように、映像検波部２０を構成する映像出力回路は、映像検波回路２１と、音声中間周波トラップを構成する第１及び第２のＳＩＦトラップ回路２２，２３と、上側隣接チャネルを除去するＬＣトラップ回路２４とで構成されている。
【００３１】
前記第１及び第２のＳＩＦトラップ回路２２，２３は、ともにセラミックトラップ等からなる音声中間周波トラップで構成されている。前記第１のＳＩＦトラップ回路２２は前記映像検波回路２１の出力端子からの出力である信号ライン２５ａとグランド（ＧＮＤ）との間に設けられている。一方、前記第２のＳＩＦトラップ回路２３は前記第１のＳＩＦトラップ回路２２の後段で且つ前記信号ラインとグランド（ＧＮＤ）との間、より詳しくは前記映像増幅部１７の入力端子に入力される信号ライン２５ｂとグランド（ＧＮＤ）との間に設けられている。
【００３２】
そして、前段に設けられた前記第１のＳＩＦトラップ回路２２とその後段に設けられた第２のＳＩＦトラップ回路２３との間の信号ライン上には、両者の間の結合を取るためのインダクタ２４ａが設けられている。そして、前記ＬＣトラップ回路２４は、前記インダクタ２４ａに対してコンデンサ２４ｂが並列に接続されることにより形成されている。
【００３３】
前記第１及び第２のＳＩＦトラップ回路２２，２３は、映像信号帯域における音声中間周波数（４．５ＭＨｚ）に相当する信号成分（音声中間周波信号ＳＩＦ）レベルを減衰させるためのものであり、その共振周波数は前記音声中間周波数（４．５ＭＨｚ）に設定されている。
【００３４】
前記音声中間周波トラップが、前記第１のＳＩＦトラップ回路２２と第２のＳＩＦトラップ回路２３との２段構成としているのは、音声中間周波トラップ全体の減衰率を高めるためである。このため、この映像出力回路２０では、色副搬送波（３．５８ＭＨｚ）との間で発生するビート信号による妨害を十分に除去することが可能とされている。
【００３５】
一方、前記ＬＣトラップ回路２４は、上側隣接チャネルの映像信号成分を減衰させてその影響を排除するためのものであり、そのトラップ周波数は例えば６ＭＨｚのように前記音声中間周波数とは異なる周波数に設定されている。より詳しくは、上側隣接チャネルの映像信号周波数に設定されている。このため、上側隣接チャネルの映像信号を確実に除去することが可能とされている。
【００３６】
ここで、前記インダクタ２４ａのインダクタンス値は、映像信号の周波数特性と遅延特性で決定されるため、コンデンサ２４ｂの容量値は前記インダクタンス値と希望する前記トラップ周波数（例えば、６ＭＨｚ）との関係で決定することが可能とされている。
【００３７】
前記映像検波回路２１は、映像中間周波増幅部１３から出力された映像中間周波信号ＶＩＦを映像ベースバンド信号に変換して出力する。そして、音声中間周波トラップを構成する第１及び第２のＳＩＦトラップ回路２２，２３が、前記映像ベースバンド信号から音声中間周波数（４．５ＭＨｚ）に相当する音声中間周波信号ＳＩＦを減衰させ、さらに前記ＬＣトラップ回路２４が上側隣接チャネルの映像信号成分（６ＭＨｚ）を除去する。このため、映像検波部（映像出力回路）２０は、前記映像ベースバンド信号のうち主として受信チャネルの映像信号のみを前記映像増幅部１７に向けて出力する。
【００３８】
上記構成からなる映像出力回路２０では、従来のような大型のチョークコイル（ＬＣフィルタ７を構成するインダクタ５）、およびチョークコイルを設置するためのスペースを不要とすることができる。また従来から存在するＳＩＦトラップに設けられていたインダクタ２４ａを、ＬＣトラップ回路２４を構成する一部品として使用することができる。よって、映像出力回路２０を構成する部品点数を削減することができるとともに、回路構成の規模を小さくすること、すなわち小型化や薄型化することが可能である。
【００３９】
図３は音声中間周波トラップのみの周波数特性図、図４は音声中間周波トラップとＬＣトラップとを組合せた回路の周波数特性図を示している。
【００４０】
図３に示すように、映像検波部２０と映像増幅部１７との間に音声中間周波トラップ（第１及び第２のＳＩＦトラップ回路２２，２３）のみが設けられた映像信号検波回路では、映像信号に対して音声中間周波数（４．５ＭＨｚ）で約２０ｄＢ程度の減衰を得られるものとなっている。
【００４１】
一方、図４に示すように、映像検波部２０と映像増幅部１７との間に前記音声中間周波トラップと前記ＬＣトラップ回路２４を有する構成のものでは、音声中間周波数（４．５ＭＨｚ）において約２０ｄＢ程度減衰が得られるとともに、それとは異なる周波数（図４では６ＭＨｚ近傍）でも２０ｄＢを超える減衰が得ることが可能である。
【００４２】
すなわち、音声中間周波トラップのみを設けた映像検波部（映像出力回路）においては、図３に示すように色副搬送波（３．５８ＭＨｚ）によるビ−ト妨害を排除することが可能である。これに対し、前記音声中間周波トラップと前記ＬＣトラップ回路２４の双方を有する映像検波部（映像出力回路）２０においては、図４に示すように前記ビ−ト妨害の排除に加えて、上側隣接チャネルのテレビ信号成分を除去することができる。このため、テレビ画面に上側隣接チャネルのテレビ信号の混入による妨害縞などの悪影響を確実に防止するが可能である。
【００４３】
なお、映像検波部２０と映像増幅部１７とが１つのＩＣパッケージとして構成されるものである場合には、前記ＩＣパッケージの外部で、且つＩＣパッケージに設けられた映像検波回路２１の出力端子と映像増幅部１７の入力端子との間に前記第１及び第２のＳＩＦトラップ回路２２，２３からなる音声中間周波トラップ、および前記インダクタ２４ａとコンデンサ２４ｂからなるＬＣトラップ回路２４を設けるようにすればよい。
【図面の簡単な説明】
【００４４】
【図１】テレビジョン受像装置のうち主要部の構成を示すブロック構成図、
【図２】本考案の実施の形態としての映像出力回路の構成を示す回路構成図、
【図３】音声中間周波トラップのみの周波数特性図、
【図４】音声中間周波トラップとＬＣトラップとを組合せた回路の周波数特性図、
【図５】従来の映像出力回路を示す回路構成図、
【符号の説明】
【００４５】
１０  テレビジョン受像装置
１１  アンテナ部
１２  チューナ部
１３  映像中間周波増幅部
１４  音声検波部
１６  音声中間周波増幅部
１７  映像増幅部
１８  ＡＧＣ回路
２０  映像検波部（映像出力回路）
２１  映像検波回路
２２  第１のＳＩＦトラップ回路（音声中間周波トラップ）
２３  第２のＳＩＦトラップ回路（音声中間周波トラップ）
２４  ＬＣトラップ回路
２４ａ  インダクタ
２４ｂ  コンデンサ
２５ａ，２５ｂ  信号ライン
３１  スピーカ
３２  モニタ
【図１】
0003115530.tif 000003
【図２】
0003115530.tif 000004
【図３】
0003115530.tif 000005
【図４】
0003115530.tif 000006
【図５】
0003115530.tif 000007